(57)【要約】【課題】乾燥機への必要以上の塵埃や水分の流入を抑えること。【解決手段】排風部材（１３ａ）から排出される排風の一部を乾燥機（１）内に戻す排風戻し通路（１５）と、排風戻し通路（１５）を通じて乾燥機（１）に戻される排風量を調節する排風調節弁（６１）と、を備えた乾燥設備（Ｓ）において、集塵装置（７１）を使用する場合に排風調節弁（６１）を制御して乾燥機（１）に戻される排風量を少なくすることで、乾燥機（１）に戻される排風が過剰になることが抑制され、乾燥機（１）への必要以上の塵埃や水分の流入を抑えることができる。【選択図】図４
2019116979.tif 000002
【特許請求の範囲】
【請求項１】
穀物を風で乾燥させる乾燥機（１）と、
前記乾燥機（１）内の風を前記乾燥機（１）外に排出する排風部材（１３ａ）と、
排風が通過する排風ダクト（１４）と、
前記排風ダクト（１４）に対して接続可能に構成され、排風に含まれる塵埃を回収する集塵装置（７１）と、
前記排風部材（１３ａ）から排出される排風の一部を前記乾燥機（１）内に戻す排風戻し通路（１５）と、
前記排風戻し通路（１５）を通じて前記乾燥機（１）に戻される排風量を調節する排風調節弁（６１）と、
前記集塵装置（７１）を使用する場合に、前記集塵装置（７１）を使用しない場合に比べて、前記排風調節弁（６１）を制御して前記乾燥機（１）に戻される排風量を少なくする制御部（５０）と、
を備えたことを特徴とする乾燥設備（Ｓ）。
【請求項２】
穀物を風で乾燥させる乾燥機（１）と、
前記乾燥機（１）内の風を前記乾燥機（１）外に排出する排風部材（１３ａ）と、
排風が通過する排風ダクト（１４）と、
前記排風ダクト（１４）に対して接続可能に構成され、排風に含まれる塵埃を回収する集塵装置（７１）と、
前記排風部材（１３ａ）から排出される排風の一部を前記乾燥機（１）内に戻す排風戻し通路（１５）と、
前記集塵装置（７１）を使用する場合に、前記集塵装置（７１）を使用しない場合に比べて、前記排風部材（１３ａ）の回転数を増大させる制御部（５０）と、
を備えたことを特徴とする乾燥設備（Ｓ）。
【請求項３】
穀物を風で乾燥させる乾燥機（１）と、
前記乾燥機（１）内の風を前記乾燥機（１）外に排出する排風部材（１３ａ）と、
排風が通過する排風ダクト（１４）と、
前記排風ダクト（１４）に対して接続可能に構成され、排風に含まれる塵埃を回収する集塵装置（７１）と、
前記排風部材（１３ａ）から排出される排風の一部を前記乾燥機（１）内に戻す排風戻し通路（１５）と、
前記排風戻し通路（１５）を通じて前記乾燥機（１）に戻される排風量を調節する排風調節弁（６１）と、
前記排風戻し通路（１５）を前記乾燥機（１）内に向けて戻される風量を検出する検出部材（６２）と、
前記検出部材（６２）の検出結果が予め定められた閾値に達する場合に、前記排風調節弁（６１）を制御して前記乾燥機（１）に戻される風量を少なくする制御部（５０）と、
を備えたことを特徴とする乾燥設備（Ｓ）。
【請求項４】
穀物を風で乾燥させる乾燥機（１）と、
前記乾燥機（１）内の風を前記乾燥機（１）外に排出する排風部材（１３ａ）と、
排風が通過する排風ダクト（１４）と、
前記排風ダクト（１４）に対して接続可能に構成され、排風に含まれる塵埃を回収する集塵装置（７１）と、
前記排風部材（１３ａ）から排出される排風の一部を前記乾燥機（１）内に戻す排風戻し通路（１５）と、
前記排風戻し通路（１５）を前記乾燥機（１）内に向けて戻される風量を検出する検出部材（６２）と、
前記検出部材（６２）の検出結果が予め定められた閾値に達する場合に、前記排風部材（１３ａ）の回転数を増大させる制御部（５０）と、
を備えたことを特徴とする乾燥設備（Ｓ）。
【発明の詳細な説明】
【技術分野】
【０００１】
本発明は、穀物を乾燥させる乾燥設備に関する。
【背景技術】
【０００２】
収穫後の穀物を乾燥させる穀物乾燥機において、以下の特許文献１，２に記載の技術が知られている。
特許文献１（特開２０１６−６１４９７号公報）には、穀物を熱風で乾燥させる穀物乾燥機において、排風の一部を熱風室（１４）に戻して、排風に含まれる熱を乾燥熱として再利用する技術が記載されている。
特許文献２（特開２００６−７１６７号公報）には、穀粒乾燥機の後部側に集塵装置（５８）を装着して、乾燥機からの排気に含まれる籾殻、塵埃を除去する技術が記載されている。
【先行技術文献】
【特許文献】
【０００３】
【特許文献１】特開２０１６−６１４９７号公報
【特許文献２】特開２００６−７１６７号公報
【発明の概要】
【発明が解決しようとする課題】
【０００４】
前記特許文献１に記載された穀物乾燥機に、特許文献２に記載の集塵装置を装着した場合、集塵装置が排気の抵抗となって、集塵装置に向かう排気が流れにくくなり、熱風室に戻される排風が多くなる。熱風室に余分な排風が戻されると、排風に含まれる水分（水蒸気）の量が多くなり、穀物に結露が生じる恐れがある。また、余分な排風が戻されると、熱風室に塵埃が多く流入する恐れもある。
【０００５】
本発明の課題は、乾燥機への必要以上の塵埃や水分の流入を抑えることである。
【課題を解決するための手段】
【０００６】
上記本発明の課題は、次の解決手段で解決される。
請求項１に記載の発明は、穀物を風で乾燥させる乾燥機（１）と、前記乾燥機（１）内の風を前記乾燥機（１）外に排出する排風部材（１３ａ）と、排風が通過する排風ダクト（１４）と、前記排風ダクト（１４）に対して接続可能に構成され、排風に含まれる塵埃を回収する集塵装置（７１）と、前記排風部材（１３ａ）から排出される排風の一部を前記乾燥機（１）内に戻す排風戻し通路（１５）と、前記排風戻し通路（１５）を通じて前記乾燥機（１）に戻される排風量を調節する排風調節弁（６１）と、前記集塵装置（７１）を使用する場合に、前記集塵装置（７１）を使用しない場合に比べて、前記排風調節弁（６１）を制御して前記乾燥機（１）に戻される排風量を少なくする制御部（５０）とを備えたことを特徴とする乾燥設備（Ｓ）である。
【０００７】
請求項２に記載の発明は、穀物を風で乾燥させる乾燥機（１）と、前記乾燥機（１）内の風を前記乾燥機（１）外に排出する排風部材（１３ａ）と、排風が通過する排風ダクト（１４）と、前記排風ダクト（１４）に対して接続可能に構成され、排風に含まれる塵埃を回収する集塵装置（７１）と、前記排風部材（１３ａ）から排出される排風の一部を前記乾燥機（１）内に戻す排風戻し通路（１５）と、前記集塵装置（７１）を使用する場合に、前記集塵装置（７１）を使用しない場合に比べて、前記排風部材（１３ａ）の回転数を増大させる制御部（５０）とを備えたことを特徴とする乾燥設備（Ｓ）である。
【０００８】
請求項３に記載の発明は、穀物を風で乾燥させる乾燥機（１）と、前記乾燥機（１）内の風を前記乾燥機（１）外に排出する排風部材（１３ａ）と、排風が通過する排風ダクト（１４）と、前記排風ダクト（１４）に対して接続可能に構成され、排風に含まれる塵埃を回収する集塵装置（７１）と、前記排風部材（１３ａ）から排出される排風の一部を前記乾燥機（１）内に戻す排風戻し通路（１５）と、前記排風戻し通路（１５）を通じて前記乾燥機（１）に戻される排風量を調節する排風調節弁（６１）と、前記排風戻し通路（１５）を前記乾燥機（１）内に向けて戻される風量を検出する検出部材（６２）と、前記検出部材（６２）の検出結果が予め定められた閾値に達する場合に、前記排風調節弁（６１）を制御して前記乾燥機（１）に戻される風量を少なくする制御部（５０）とを備えたことを特徴とする乾燥設備（Ｓ）である。
【０００９】
請求項４に記載の発明は、穀物を風で乾燥させる乾燥機（１）と、前記乾燥機（１）内の風を前記乾燥機（１）外に排出する排風部材（１３ａ）と、排風が通過する排風ダクト（１４）と、前記排風ダクト（１４）に対して接続可能に構成され、排風に含まれる塵埃を回収する集塵装置（７１）と、前記排風部材（１３ａ）から排出される排風の一部を前記乾燥機（１）内に戻す排風戻し通路（１５）と、前記排風戻し通路（１５）を前記乾燥機（１）内に向けて戻される風量を検出する検出部材（６２）と、前記検出部材（６２）の検出結果が予め定められた閾値に達する場合に、前記排風部材（１３ａ）の回転数を増大させる制御部（５０）とを備えたことを特徴とする乾燥設備（Ｓ）である。
【発明の効果】
【００１０】
請求項１記載の発明によれば、集塵装置（７１）を使用する場合に排風調節弁（６１）を制御して乾燥機（１）に戻される排風量を少なくすることで、乾燥機（１）に戻される排風が過剰になることが抑制され、乾燥機（１）への必要以上の塵埃や水分の流入を抑えることができる。
【００１１】
請求項２記載の発明によれば、集塵装置（７１）を使用する場合に排風部材（１３ａ）の回転数を増大させることで、乾燥機（１）の塵埃を速やかに集塵装置（７１）に送って塵埃を減らすことができ、乾燥機（１）に戻される排風に含まれる塵埃が早期に減少する。よって、乾燥機（１）への必要以上の塵埃や水分の流入を抑えることができる。
【００１２】
請求項３記載の発明によれば、検出部材（６２）の検出結果が予め定められた閾値に達する場合に、排風調節弁（６１）を制御して乾燥機（１）に戻される排風量を少なくすることで、乾燥機（１）に戻される排風が過剰になることが抑制され、乾燥機（１）への必要以上の塵埃や水分の流入を抑えることができる。
【００１３】
請求項４記載の発明によれば、検出部材（６２）の検出結果が予め定められた閾値に達する場合に、排風部材（１３ａ）の回転数を増大させることで、乾燥機（１）の塵埃を速やかに集塵装置（７１）に送って塵埃を減らすことができ、乾燥機（１）に戻される排風に含まれる塵埃が早期に減少する。よって、乾燥機（１）への必要以上の塵埃や水分の流入を抑えることができる。
【図面の簡単な説明】
【００１４】
【図１】図１は本発明の本実施形態の穀物乾燥機の斜視図である。
【図２】図２は図１の矢印ＩＩ方向から見た図である。
【図３】図３は図１のＡ−Ａ線断面図であり、乾燥機内部の内部構造を示す。
【図４】図４は本実施形態の乾燥設備における穀物乾燥機に集塵装置が接続された状態の説明図である。
【図５】図５は排風の流れの説明図である。
【図６】図６は本実施形態の穀物乾燥機の操作パネルの説明図である。
【図７】図７は本実施形態の穀物乾燥機の制御機構をブロック図で示す。
【図８】図８は本実施形態の排風戻し制御処理のフローチャートの説明図である。
【図９】図９は本実施形態の風量異常の規制制御処理のフローチャートの説明図である。
【発明を実施するための形態】
【００１５】
本発明の実施の形態を図面と共に説明する。  
図１は本発明の本実施形態の穀物乾燥機の斜視図である。
図２は図１の矢印ＩＩ方向から見た図である。
図３は図１のＡ−Ａ線断面図であり、乾燥機内部の内部構造を示す。
図１〜図３において、本発明の本実施形態の穀物乾燥機１は、内部の乾燥機内に、貯留室２、排風室３、熱風室４及び集穀室６が上方から順に配置されている。そして、穀物乾燥機１の壁面外部に昇降機１６を配置している。なお、排風室３及び熱風室４を合わせて乾燥室５ということがある。  
【００１６】
排風室３と熱風室４を仕切る壁８の間に上方から下方に向けて漏斗状の穀粒が落下する穀粒流路９が形成されており、この穀粒流路９を落下する間に穀粒は熱風で乾燥される。
従って、貯留室２内の穀粒は天井部１０から下方に落下していく過程で、排風室３と熱風室４の間の穀粒流路９で乾燥される。このとき、貯留室２内の天井部１０に設けた拡散羽根（図示せず）により穀粒は、貯留室２内の水平断面の全体に亘り広がりながら落下することで乾燥し易くなる。
【００１７】
乾燥された穀粒は、穀粒流路９の下端部に集められ、穀粒流路９の下端部に設けられたロータリバルブ３８を経由して集穀室６に集められ、集穀室６の下部に設けられた下部コンベア３９により穀物乾燥機１の外部にある昇降機１６に抜き出され、穀物乾燥機１の天井部１０側に搬送される。天井部１０に搬送された穀粒は、天井部１０に設けられた上部ラセン樋２２の内部に配置された上部ラセン２３により後方に搬送され、貯留室２の上部から落下して供給される。
【００１８】
図１において、昇降機１６の適所に、穀物の有無の検出部材の一例としての自動水分計１７が配置されている。さらに、昇降機１６の隣には熱風室４に熱風を供給する熱源の一例として、例えば燃焼バーナ１９などを設け、その熱源の上方に穀物乾燥機１の駆動制御を行うコントローラ（制御部、制御装置）５０を設けている。
昇降機１６の上端部には、乾燥が終了した穀物を外部に排出する排出部２０が接続されている。排出部２０の上端部には、図示しない切替弁が設置されており、穀物を、排出部２０側と上部ラセン樋２２側のどちらに送るかを切り換えることが可能になっている。
図３において、貯留室２内の適所に張込センサ１２が配置されており、張り込み穀粒量を適宜検出できる。  
【００１９】
図４は本実施形態の乾燥設備における穀物乾燥機に集塵装置が接続された状態の説明図である。
図５は排風の流れの説明図である。
図２、図４、図５において、穀物乾燥機１の後部には、排風部１３が支持されている。排風部１３の内部は、排風部材の一例としての排風ファン１３ａが配置されている。排風ファン１３ａは、図示しないモータで作動するように構成されており、排風室３の空気を穀物乾燥機１の外部に排出する。
【００２０】
排風ファン１３ａの後部には、排風ダクト１４が接続されている。排風ダクト１４の上部には、排風戻し通路の一例としての排風戻しダクト１５が接続されている。排風戻しダクト１５は、上方に延びる上流部１５ａと、上流部１５ａの上部と排風室３とを接続する下流部１５ｂとを有する。排風ダクト１４には、上流部１５ａの下方に、案内部材の一例としての排風案内板６０が配置されている。排風案内板６０には、図示しない複数の貫通孔が形成されている。したがって、排風の一部が、排風案内板６０で排風戻しダクト１５側に案内され、残りが貫通孔を通過して排風ダクト１４の下流側に送られる。
【００２１】
排風戻しダクト１５の上流部１５ａには、排風調整部材の一例としての排風調節弁６１が配置されている。排風調節弁６１は、図示しないモータで回転可能に形成されている。したがって、図４に示すように排風調節弁６１が上流部１５ａを塞ぐ状態や、図５に示すように、排風調節弁６１が上流部１５ａの流路面積を広げた状態とすることが可能である。排風調節弁６１は、予め定められた段階（例えば、５段階）で回転して流路面積を調整するように構成することが可能であるが、連続的に（無段階で）流路面積を調整可能な構成とすることも可能である。
【００２２】
本実施形態では、排風戻しダクト１５の下流部１５ｂに、風量検出部材の一例としての戻し圧力センサ６２が設置されている。戻し圧力センサ６２は、排風戻しダクト１５を戻される空気の圧力（背圧）を計測することで、戻される風量を計測する。
なお、空気圧を計測する場合に限定されず、風速や風圧を計測することで戻される風量を計測することも可能である。
【００２３】
図４において、排風ダクト１４には、集塵装置７１が接続可能である。なお、集塵装置７１は、ユーザの希望に応じて装着されるオプション品であり、接続されない場合もある。したがって、集塵装置７１が接続されない場合は、排風ダクト１４が直接外部に接続され、排風室３からの排風が直接外気に排出される。
本実施形態の集塵装置７１は、筐体７２を有する。筐体７２の上部には、集塵室７３が形成され、集塵室７３には、排風ダクト１４が接続される。集塵室７３の下方には、液体の収容部の一例としてのタンク７４が配置されている。タンク７４には、集塵用の液体が貯留されている。タンク７４には、液体を送り出すポンプ７６が配置されている。ポンプ７６で送り出された液体は、集塵室７３内のノズル７７で衝突板７８に吹き付けられ、集塵用の液体が霧状に拡散する。したがって、集塵室７３に送られた排風に含まれる籾殻や塵埃が霧状の液体で吸収され、排風から除去される。塵埃等が除去された排風は、集塵室７３の上部に形成された排出口７３ａに設置されたフィルタ７９を通過して外部に排出される。
【００２４】
なお、本実施形態では、集塵装置７１として、いわゆる湿式の集塵装置を使用したがこれに限定されない。集塵用の液体を使用せず、フィルタ７９で塵埃等を除去する方式、いわゆる乾式の集塵装置を使用することも可能である。
なお、本実施形態では、穀物乾燥機１に集塵装置７１が接続された構成を、乾燥設備Ｓと呼ぶ。
【００２５】
図４において、燃焼バーナ１９は、筐体の一例としてのバーナケース８１を有する。バーナケース８１の側面には、乾燥室５の内部に空気を取り込むための複数の吸気口８１ａが形成されている。バーナケース８１の内部には、バーナ本体８２が設置されている。バーナ本体８２では、燃料ポンプ８３から送られた燃料に、着火部材の一例としてのイグナイタ８４で着火されるとともに、バーナ送風ファン８６から空気が送り込まれる。バーナ本体８２で発生した熱は、遠赤外線放射体８７により、乾燥室５を加温する。
【００２６】
また、バーナケース８１の内部には、風量検出部材の一例として、吸気口８１ａから吸引された空気の風速を計測する吸引風速計８８が設置されている。なお、本実施形態では、吸引された空気の量を、風速で計測する構成を例示したが、これに限定されず、風圧で計測する構成とすることも可能である。
【００２７】
図６は本実施形態の穀物乾燥機の操作パネルの説明図である。
図６において、本実施形態の穀物乾燥機１の操作パネル３２は、穀類の張込ボタン３３ａ、通風ボタン３３ｂ、乾燥ボタン３３ｃ、排出ボタン３３ｄ、停止ボタン３３ｅが並列配置されており、上記ボタン３３ａ〜３３ｅによりそれぞれの運転操作を行うことができる。熱風温度、水分、残り時間について液晶画面３４に表示可能であり、また緊急停止ボタン３５により乾燥機を緊急停止することもできる。
また、操作パネルの左側には、廃熱の回収量を表示するヒートリサイクルランプ４１ａや、水分計で測定した水分をもとに穀物水分のばらつきを表示する水分ばらつきランプ４１ｂ、水分計で測定した水分をもとに未熟米混入量を表示する未熟米ランプ４１ｃが設けられている。
【００２８】
操作パネル３２の右側には、乾燥休止時間の設定を行うモードに移行するボタン４５ａや、タイマの設定を行うモードに移行するボタン４５ｂ、張り込み量の設定を行うモードに移行するボタン４５ｃ、水分量の設定を行うモードに移行するボタン４５ｄと、各モードにおいてその増減をそれぞれ行う増加ボタン４５ｅと減少ボタン４５ｆが設けられている。各ボタン４５ａ〜４５ｆによる設定値は液晶画面３４に表示される構成になっている。
【００２９】
また、操作パネル３２の右側には、穀物の種類の設定を行う穀物設定ボタン４６ａと、設定中の穀物の種類を表示する穀物設定表示ランプ４６ｂと、乾燥速度の設定を行う乾燥設定ボタン４６ｃと、設定中の乾燥速度を表示する乾燥設定表示ランプ４６ｄとが設けられている。
【００３０】
図７は本実施形態の穀物乾燥機の制御機構をブロック図で示す。
なお、図７の機能ブロック図では、本発明の説明に関連の無い構成に関しては図示を省略している。
図７において、本実施形態の制御装置５０は、外部との信号の入出力等を行う入出力インターフェースＩ／Ｏを有する。また、制御装置５０は、必要な処理を行うためのプログラムおよび情報等が記憶されたＲＯＭ：リードオンリーメモリや、必要なデータを一時的に記憶するためのＲＡＭ：ランダムアクセスメモリからなるメモリ４７を有する。また、制御装置５０は、メモリ４７に記憶されたプログラムに応じた処理を行うＣＰＵ：中央演算処理装置を有する。したがって、本実施形態の制御装置５０は、小型の情報処理装置、いわゆるマイクロコンピュータにより構成されている。よって、制御装置５０は、ＲＯＭ等に記憶されたプログラムを実行することにより種々の機能を実現することができる。
【００３１】
本実施形態の制御装置５０には、自動水分計１７や張込センサ１２、戻し圧力センサ６２、吸引風速計８８の検出信号や、操作パネル３２の各種ボタン３３ａ〜３３ｅ，３５，４５ａ〜４５ｆ，４６ａ，４６ｃからの入力信号が入力される。
また、制御装置５０は、排風ファン１３ａや昇降機１６、燃焼バーナ１９、上部ラセン２３、撹拌羽根、ロータリバルブ３８、下部ラセン３９、排風調節弁６１、集塵装置７１等の被制御部材に対して制御信号を出力する。
【００３２】
本実施形態の制御装置５０は、張込ボタン３３ａや、通風ボタン３３ｂ、乾燥ボタン３３ｃ、排出ボタン３３ｄ、停止ボタン３３ｅ、緊急停止ボタン３５の入力に応じて、昇降機１６や燃焼バーナ１９、上部ラセン２３、拡散羽根、排風ファン１３ａ、ロータリバルブ３８、下部ラセン３９等を駆動または駆動停止して、張り込み運転、通風運転、乾燥運転、排出運転、運転停止、緊急停止を行う。
【００３３】
なお、張込み運転では、燃焼バーナ１９や排風ファン１３ａを作動させずに、各ラセン２３，３９等で穀物が循環されて、乾燥室５に穀物が張り込まれる。
通風運転は、燃焼バーナ１９を作動させずに排風ファン１３ａを作動させると共に、各ラセン２３，３９等を作動させる。
乾燥運転は、燃焼バーナ１９と排風ファン１３ａを作動させると共に、各ラセン２３，３９等を作動させて、穀物を乾燥させる。
排出運転は、各ラセン２３，３９等を作動させて、穀物を排出部２０から排出させる。
【００３４】
なお、本実施形態の制御装置５０は、一例として、張込ボタン３３ａと乾燥ボタン３３ｃが同時に押された場合に、試運転（試運転モード）が選択される様に構成されている。なお、試運転モードは、燃焼バーナ１９等がメンテナンスで交換された場合のように、基本的には、穀物が存在しない状態で穀物乾燥機１が正常に動作するかを確認するために実行されるモードである。
本実施形態の穀物乾燥機１では、試運転モードが選択された状態で、乾燥ボタン３３ｃの入力がされると、穀物が無ければ、制御装置５０は、設定された燃焼量で燃焼バーナ１９を作動させながら、排風ファン１３や各ラセン２３，３９等を作動させる乾燥試運転を実行する。そして、停止ボタン３３ｅの入力がされると、乾燥試運転を終了する。なお、穀物の有無は、自動水分計１７の検出結果に基づいて判別することが可能である。
【００３５】
また、本実施形態の制御装置５０は、集塵装置７１を使用する場合に、集塵装置７１を使用しない場合に比べて、排風調節弁６１を制御して穀物乾燥機１の乾燥室５に戻される排風量を少なくする。本実施形態では、集塵装置７１が接続された場合には、集塵装置７１が接続されない場合に比べて、一例として、排風調節弁６１を、１段階流路面積が小さくなる方向に制御することで、戻される排風量を少なくしている。
なお、戻される排風量を少なくする方法として、排風調節弁６１の開度の制御を行う構成に限定されない。例えば、排風調節弁６１に変えて、追加のファンを設置して、追加のファンの回転数を制御することで、戻される排風量を制御する構成とすることも可能である。
【００３６】
また、本実施形態では、一例として、集塵装置７１が接続された場合に、サービスエンジニアによる操作パネル３２からの入力で、集塵装置７１が接続されたこと（集塵モード）を登録可能に構成されている。このほかにも、集塵装置７１が接続されたことを検出するセンサやコネクタ、スイッチを設けたり、集塵装置７１が装着された場合に入力するボタン、スイッチ等を設けることも可能である。
さらに、上部ラセン樋２２に排塵機が設けられる構成では、集塵装置７１が装着されて背圧がかかる状況では、排塵機の検知センサの感度を低下させることが望ましい。
【００３７】
さらに、本実施形態の制御装置５０は、戻し圧力センサ６２の検出結果が予め定められた閾値（第１閾値）に達する場合も、排風調節弁６１を制御して穀物乾燥機１に戻される風量を少なくする。
なお、集塵モードの場合、または、戻し圧力センサ６２の検出結果が第１閾値に達する場合に、風量を少なくする構成を例示したが、これに限定されない。例えば、いずれか一方の場合のみ風量を少なくする構成としたり、両方が満たされた場合にのみ風量を少なくする構成とすることも可能である。
【００３８】
また、本実施形態では、戻し圧力センサ６２を、排風戻しダクト１５の下流部に設ける構成を例示したが、これに限定されない。集塵装置７１が装着された場合に増大する空気圧（背圧）を測定可能な任意の位置に設置可能であり、例えば、排風ダクト１４や乾燥室５等に設けることも可能である。
【００３９】
また、本実施形態の制御装置５０は、張込センサ１２の検出結果に基づいて、穀物の張込み量に応じて、燃焼バーナ１９の燃焼量と、排風ファン１３ａの回転数を制御する。本実施形態では、張込み量が多くなるほど、燃焼量と回転数を増大させるように制御する。例えば、張込み量を、一例として、５段階で判定する場合、燃焼量と排風ファン１３ａも５段階で調整することが可能である。なお、燃焼量等を６段階以上や４段階以下、あるいは、連続的（無段階）で調整するように構成することも可能である。なお、燃料ポンプ８３からの燃料の供給量を調整したり、バーナ送風ファン８６からの送風量を調整することで、燃焼バーナ１９の燃焼量の調整が可能である。
【００４０】
なお、本実施形態では、乾燥室５の穀物の量が予め定められた量に達しない場合に、最も低回転数（低回転モード）で排風ファン１３ａを制御する。なお、予め定められた量は、一例として、穀物の量（張込み量）が排風室３と熱風室４を仕切る壁８の上端に達しない場合、すなわち、仕切る壁８の上端が、張り込まれた穀物の最上面よりも上方に出ている場合に設定されている。したがって、網状の部材で構成された仕切る壁８の上端部において、穀物に触れずに網目から直接乾燥室５に熱風が噴き出すような状況の場合は、最低回転数で排風ファン１３ａが制御される。
【００４１】
そして、本実施形態の制御装置５０は、集塵装置７１を使用する場合に、集塵装置７１を使用しない場合に比べて、排風ファン１３ａの回転数を増大させる。一例として、集塵装置７１が接続された場合には、集塵装置７１が接続されない場合に比べて、回転数を１段階高く制御する（１段階高くなるように回転数を補正する）ことで、回転数を増大させ、排風量を多くする。
【００４２】
また、本実施形態の制御装置５０は、戻し圧力センサ６２の検出結果が予め定められた閾値（第１閾値）に達する場合も、排風ファン１３ａの回転数を増大させるように制御する。
さらに、本実施形態の制御装置５０は、排風ファン１３ａの回転数が予め定められた閾値（第２閾値）に達しない場合には、吸引風速計８８の検出を規制する。本実施形態では、排風ファン１３ａの回転数が第２閾値以下の場合には、吸引風速計８８が風量異常を検出しても、風量異常として扱わず、検出結果を無視する（破棄する）。なお、検出結果を無視する場合に限定されず、吸引風速計８８への電源供給を停止する等の任意の方法で、吸引風速計８８による風量異常の検出を規制することが可能である。
【００４３】
なお、第２閾値は、一例として、５段階で調整される排風ファン１３ａの回転数において、最も低速な１速の回転数に設定することができるが、これに限定されない。回転数の段階の数に応じて２速や３速とすることも可能であり、回転数が無段階で変速される場合は、実験等で予め定められた数値とすることも可能である。
なお、本実施形態において、例えば、５段階で調整される排風ファン１３ａの回転数において、最も低速な１速を低回転モードとし、２速〜５速を通常モードとして、張込み量が少ない場合だけでなく、穀物の種類や、ユーザの操作パネル３２からの入力等に応じて、低回転モード（１速）が設定された場合には、吸引風速計８８の検出を規制するように構成することも可能である。
【００４４】
また、本実施形態の制御装置５０は、吸引風速計８８の検出が規制されていない状況、すなわち、排風ファン１３ａの回転数が第２閾値を超えている状況（または通常モードが設定されている状況）で、吸引風速計８８が風量異常を検出した場合に、風量異常が解消されるまで排風ファン１３ａの回転数を増大させる。本実施形態では、一例として、最大の回転数（５速）で回転させる。また、風量異常が解消されるまで排風ファン１３ａを高速回転させる構成とする場合に限定されず、高速回転を開始して所定時間が経過しても風量異常が解消されない場合は、乾燥運転や通風運転等をエラー終了する構成とすることも可能である。
さらに、本実施形態の制御装置５０では、穀物無しの状態で、穀物を乾燥させる運転を開始する場合（前述の試運転モードの場合）には、排風ファン１３ａの回転数を予め定められた低回転数で回転させる。本実施形態では、試運転モードでは、一例として、排風ファン１３ａを低回転モード（１速）で回転制御する。
【００４５】
なお、本実施形態では、乾燥運転の終了後に、穀物無しの状態で乾燥室５を昇温させずに通風させる通風運転（清掃運転モード）を実行する。このとき、清掃運転モードでは、排風ファン１３ａの回転数を予め定められた高回転数で回転させる。本実施形態では、清掃運転モードでは、排風ファン１３ａを、一例として、５段階の５速で回転制御する。
【００４６】
（本実施形態の流れ図の説明）
次に、本実施形態の穀物乾燥機１における制御の流れを流れ図、いわゆるフローチャートを使用して説明する。
【００４７】
（排風戻し制御処理のフローチャートの説明）
図８は本実施形態の排風戻し制御処理のフローチャートの説明図である。
図８のフローチャートの各ステップＳＴの処理は、制御装置５０に記憶されたプログラムに従って行われる。また、この処理は穀物乾燥機１の他の各種処理と並行して実行される。
図８に示すフローチャートは穀物乾燥機１の電源投入により開始される。
【００４８】
図８のＳＴ１において、乾燥運転を開始する入力がされたか否かを判別する。すなわち、操作パネル３２において、乾燥ボタン３３ｃが押されたか否かを判別する。イエス（Ｙ）の場合はＳＴ２に進み、ノー（Ｎ）の場合はＳＴ１を繰り返す。
ＳＴ２において、集塵モードであるか否か、すなわち、集塵装置７１が接続されているか否かを判別する。イエス（Ｙ）の場合はＳＴ３に進み、ノー（Ｎ）の場合はＳＴ４に進む。
ＳＴ３において、次の処理（１）、（２）を実行して、ＳＴ６に進む。
（１）穀物乾燥機１に戻される排風が少なくなるように排風調節弁６１を制御する。
（２）排風ファン１３ａを１段階高回転数で回転するように制御する。
【００４９】
ＳＴ４において、戻し圧力センサ６２の圧力が第１閾値以上であるか否かを判別する。イエス（Ｙ）の場合はＳＴ３に進み、ノー（Ｎ）の場合はＳＴ５に進む。
ＳＴ５において、次の処理（１）、（２）を実行して、ＳＴ６に進む。
（１）穀物乾燥機１に戻される排風が通常の排風量となるように排風調節弁６１を制御する。
（２）排風ファン１３ａを通常回転数で（回転数の補正をせずに）回転するように制御する。
ＳＴ６において、乾燥運転が終了したか否かを判別する。イエス（Ｙ）の場合はＳＴ１に戻り、ノー（Ｎ）の場合はＳＴ４に戻る。
【００５０】
（風量異常の規制制御処理のフローチャートの説明）
図９は本実施形態の風量異常の規制制御処理のフローチャートの説明図である。
図９のフローチャートの各ステップＳＴの処理は、制御装置５０に記憶されたプログラムに従って行われる。また、この処理は穀物乾燥機１の他の各種処理と並行して実行される。
図９に示すフローチャートは穀物乾燥機１の電源投入により開始される。
【００５１】
図９のＳＴ１１において、乾燥運転を開始する入力がされたか否かを判別する。イエス（Ｙ）の場合はＳＴ１２に進み、ノー（Ｎ）の場合はＳＴ１１を繰り返す。
ＳＴ１２において、試運転モードであるか否か、すなわち、穀物が無い状態で乾燥運転を行う入力がされたか否かを判別する。イエス（Ｙ）の場合はＳＴ１３に進み、ノー（Ｎ）の場合はＳＴ１５に進む。
ＳＴ１３において、排風ファン１３ａの回転数を試運転用の低回転数（１速）に設定する。そして、ＳＴ１４に進む。
ＳＴ１４において、乾燥運転（試運転モード）が終了したか否かを判別する。イエス（Ｙ）の場合はＳＴ２４に進み、ノー（Ｎ）の場合はＳＴ１４を繰り返す。
【００５２】
ＳＴ１５において、張込み量は設定値以下か否か、すなわち、張込み量が仕切る壁８の上端が露出する量よりも少ないか否かを判別する。イエス（Ｙ）の場合はＳＴ１６に進み、ノー（Ｎ）の場合はＳＴ１７に進む。
ＳＴ１６において、排風ファン１３ａを低回転モード（１速）に設定、制御する。そして、ＳＴ１９に進む。
ＳＴ１７において、張込み量に応じた回転数で排風ファン１３ａを制御する。そして、ＳＴ１８に進む。
ＳＴ１８において、排風ファン１３ａの回転数は第２閾値以下であるか否かを判別する。イエス（Ｙ）の場合はＳＴ１９に進み、ノー（Ｎ）の場合はＳＴ２５に進む。
【００５３】
ＳＴ１９において、吸引風速計８８の検出を規制する。そして、ＳＴ２０に進む。
ＳＴ２０において、乾燥運転が終了したか否かを判別する。イエス（Ｙ）の場合はＳＴ２１に進み、ノー（Ｎ）の場合はＳＴ２０を繰り返す。
ＳＴ２１において、乾燥運転終了後、穀物が排出され、通風運転（清掃運転）が開始されたか否かを判別する。イエス（Ｙ）の場合はＳＴ２２に進み、ノー（Ｎ）の場合はＳＴ２１を繰り返す。
ＳＴ２２において、排風ファン１３ａの回転数を清掃用の高回転数（５速）に設定、制御する。そして、ＳＴ２３に進む。
ＳＴ２３において、通風運転が終了したか否かを判別する。イエス（Ｙ）の場合はＳＴ２４に進み、ノー（Ｎ）の場合はＳＴ２３を繰り返す。
ＳＴ２４において、排風ファン１３ａを停止させる。そして、ＳＴ１１に戻る。
【００５４】
ＳＴ２５において、吸引風速計８８において風量異常（所定の風量に達しない）を検出したか否かを判別する。イエス（Ｙ）の場合はＳＴ２６に進み、ノー（Ｎ）の場合はＳＴ２８に進む。
ＳＴ２６において、排風ファン１３ａの回転数を増大させる。そして、ＳＴ２７に進む。
ＳＴ２７において、風量異常が解消されたか否かを判別する。イエス（Ｙ）の場合はＳＴ１５に戻り、ノー（Ｎ）の場合はＳＴ２７を繰り返す。
ＳＴ２８において、乾燥運転が終了したか否かを判別する。イエス（Ｙ）の場合はＳＴ２１に進み、ノー（Ｎ）の場合はＳＴ１５に戻る。
【００５５】
前記構成を備えた穀物乾燥機１を備えた乾燥設備Ｓでは、乾燥運転時に、排風の一部が排風戻しダクト１５を通じて戻されることで、排風に含まれる熱を乾燥室５に戻すことで熱効率を向上させている。ここで、穀物乾燥機１に集塵装置７１が接続されると、集塵装置７１が接続されない場合に比べて、排気の抵抗が高くなる（排気されにくくなる）。したがって、排風調節弁６１の位置を変更しない場合、集塵装置７１側に排風が流れにくくなり、排風戻しダクト１５を通じて乾燥室５に戻される排風の量が多くなる。戻される排風量が想定よりも多くなると、戻される排風に含まれる熱や水分、塵埃等が必要以上に多くなる恐れがある。したがって、想定以上の熱が戻されることにより穀物が加熱されすぎたり、水分による結露、塵埃の付着等の不具合が発生する恐れがある。
【００５６】
これらに対して、本実施形態では、穀物乾燥機１に集塵装置７１が接続された場合、排風戻しダクト１５を通じて戻される排風の量が少なくなるように排風調節弁６１が制御される。したがって、戻される排風の量が必要以上になることが抑制され、熱や水分、塵埃が過剰に戻されることによる不具合を低減できる。
また、本実施形態では、戻し圧力センサ６２の検出する圧力が第１閾値に達する場合、戻される風量が多くなっていると判別して、排風調節弁６１が制御されて、戻される排風の量が少なくなる。よって、戻される排風の量が必要以上になることが抑制され、熱や水分、塵埃が過剰に戻されることによる不具合を低減できる。
【００５７】
なお、集塵装置７１が接続された場合に、排風調節弁６１だけで戻される排風を制御しきれない場合等では、燃焼バーナ１９の燃焼量を低下させることで、戻される熱量を含めて全体の熱量が所定の範囲に収まるように制御することも可能である。
【００５８】
さらに、本実施形態では、穀物乾燥機１に集塵装置７１が接続された場合、排風ファン１３ａの回転数を増速して、排風ダクト１４側に搬送される空気の量を増やしている。したがって、集塵装置７１側に送られる排風の量を多くして、塵埃が集塵装置７１側に多く送られ、排風ファン１３ａを増速しない場合に比べて、穀物乾燥機１内の塵埃の量が迅速に減少される。結果として、流動する空気に含まれる塵埃の量が早期に少なくなり、排風戻しダクト１５を通じて必要以上の塵埃や水分の乾燥室５への流入が抑えられる。
また、本実施形態では、戻し圧力センサ６２の検出する圧力が第１閾値に達する場合も、排風ファン１３ａの回転数が増速され、速やかに塵埃の量が少なくなる。よって、排風戻しダクト１５を通じて必要以上の塵埃や水分の乾燥室５への流入が抑えられる。
【００５９】
さらに、本実施形態の穀物乾燥機１では、張込み量に応じて、燃焼バーナ１９の燃焼量と排風ファン１３ａの排風量を制御することで、燃焼量と排風量のバランスを取り、穀物乾燥機１の乾燥能力が過剰になったり、過小になることを抑制している。ここで、排風量が少なくなると、吸引風速計８８が風量を検出できなくなり、風量異常を検出する。吸引風速計８８は、元々、仕切る壁８の目詰まりや、排風ダクト１４や集塵装置７１が塵埃等で詰まったり等の異常、故障が発生して、空気が流動しなくなった場合に風量異常を検出して、穀物乾燥機１を緊急停止させるための安全装置である。このほかにも、乾燥設備Ｓの新規設置時や分解メンテナンス後等に、排風ダクト１４が屈曲したり、排風ダクト１４の一部に蛇腹（ベローズ）が使用されている場合に蛇腹がねじれたり曲がったりして、空気が流動しにくい場合も吸引風速計８８で検出可能である。
【００６０】
しかし、張込み量が少なくて排風ファン１３ａが低速回転した場合に、穀物乾燥機１は正常に動作しているにも関わらず、異常発生と判別されて、穀物乾燥機１が停止されると、穀物の乾燥作業が滞る問題がある。これに対して、本実施形態では、排風ファン１３ａが低速回転すると、吸引風速計８８の検出を規制する。したがって、正常に乾燥運転が行われているにもかかわらず、吸引風速計８８が風量異常を検出するような状況になっても、穀物乾燥機１が停止することが抑制される。よって、排風ファン１３ａの低速回転時に、風量異常の検出を抑えつつ、良好な穀物の乾燥を行うことができる。
【００６１】
また、ユーザの操作パネル３２からの入力等で低回転モード（１速）が設定された場合にも、吸引風速計８８の検出を規制することで、風量異常の検出を抑えつつ、穀物乾燥機１を停止させずに動作させて、良好な穀物の乾燥を行うことができる。
さらに、本実施形態では、張込み量が少ない場合には、低速（１速）で排風ファン１３ａが回転される。したがって、網状の仕切る壁８から穀物に触れずに直接乾燥室５に熱風が噴き出すような状況の場合は、最低回転数で排風ファン１３ａが制御される。よって、仕切る壁８の一部から過剰に風が抜けて穀物が舞ったり、風の流れが偏りすぎて、穀物の乾燥にムラが発生するといった状況を抑制し、張込み量が少ない状況でも乾燥運転を良好に行うことができる。
【００６２】
また、本実施形態では、吸引風速計８８の検出が規制されていない状況では、吸引風速計８８が風量異常を検出すると、排風ファン１３ａの回転数を増大させる。したがって、塵埃の目詰まり等で風量が少なくなった場合に、排風ファン１３ａの回転数を増大させて、排風量を高くすることで、目詰まりした塵埃等を吹き飛ばして、風量異常の解消を図ることができる。
【００６３】
さらに、本実施形態では、試運転時には、排風ファン１３ａの回転数を低下させる。試運転時は穀物がない状態で行われるため、穀物が風の流れの抵抗とならず、風が抜けやすい。したがって、燃焼バーナ１９にとっては、風が強すぎる状況になりやすく、炎が安定しにくくなる。したがって、本実施形態では、排風ファン１３ａの回転数を下げることで、試運転時における燃焼の安定性を向上させることができる。
また、本実施形態では、穀物排出後の通風運転（清掃運転）時には、排風ファン１３ａの回転数を増大させる。通風運転では、燃焼バーナ１９が燃焼されないため、風量が過剰になっても問題なく、高速の排風で、乾燥室５や排風ダクト１４の内面や仕切る壁８等に付着した籾殻や塵埃等が吹き飛ばされやすくなる。また、結露等も解消されやすくなる。よって、乾燥室５等の清掃を効率よく行うことができる。
【００６４】
なお、本実施形態では、集塵装置７１が接続されたことを登録するための構成を設けたがこれに限定されない。例えば、穀物が無い状態（張込み開始時や排出終了時）に、排風調節弁６１を全開にして、そのときの戻し圧力センサ６２の検出値が所定値以上の場合には、背圧がかかっていると判断して、集塵装置７１が接続されていると判断する構成とすることも可能である。そして、排風調節弁６１を全開にして、そのときの戻し圧力センサ６２の検出値に基づいて、戻される排風量が所定の戻し量になるように、排風調節弁６１の開度を調整、補正を出すことも可能である。
【００６５】
なお、排風調節弁６１を全開にして、そのときの戻し圧力センサ６２の検出値が所定値以上の場合に、排風ダクト１４や集塵装置７１のフィルタ７９が詰まっていると判別して、警報を出す構成とすることも可能である。また、例えば、張込み開始時と排出終了時で戻し圧力センサ６２の検出値を対比して、検出値の差が所定値以上の場合に排風ダクト１４等が詰まっている（または詰まりかけている）と判別して警報を出す構成とすることも可能である。さらに、張込み開始時と排出終了時に限定されず、運転中に所定時間毎に戻し圧力センサ６２の検出値を対比して、前回の検出値との差が大きくなったり、閾値を超えた場合には、警報を出す構成とすることも可能である。なお、いきなり警報を出すのではなく、前回の検出値との差分がある程度になると注意喚起を行い、差分が大きくなると警報を出すといった形態とすることも可能である。このとき、注意喚起を行う状況では、塵埃が詰まりかけた状態であり、高温を維持すると火災の危険があるので、燃焼バーナ１９の燃焼量を低下させることが望ましい。
【００６６】
さらに、他にも、排風調節弁６１を全開にするのではなく、排風調節弁６１の開度毎に、集塵装置７１が接続されていない状態での戻し圧力センサ６２の検出値を、予め測定しておき、穀物が無い状態での戻し圧力センサ６２の検出値が排風調節弁６１の開度に対応する値よりも高い場合に、集塵装置７１が接続されていると判別したり、警報をだしたりすることも可能である。
【００６７】
また、本実施形態の穀物乾燥機１において、乾燥室５が高温になった場合には、温度を下げるために、燃焼バーナ１９の温度を下げると共に、排風調節弁６１は、全閉の状態にして、排風（熱風）を乾燥室５に戻さないようにすることが望ましい。
前述の塵埃が詰まる等で風量が低下した状態が検知された場合、乾燥室５に冷たい外気が入りにくく、乾燥室５の温度が上昇しやすい。したがって、この状態では排風を戻すことは望ましくないため、排風調節弁６１を全閉の状態にすることが望ましい。
なお、乾燥室５が高温の状態や風量が低下した状態で乾燥運転の継続する場合には、高温または詰まった（または詰まりかけた）状態で運転が継続するので、運転終了まで排風調節弁６１は閉じた状態で維持することが望ましい。
【００６８】
また、本実施形態の乾燥設備Ｓを新規設置したり、レイアウトを変更する場合に、排風ダクト１４がレイアウトの関係で途中で湾曲したり屈曲することがあり、排風が流れにくくなることがある。これに対して、試運転（籾無しの状態）を行って、吸引風速計８８の測定風量から籾有り時の風量を計算し、予め定められた標準風量に対する割合からレイアウトが適正かどうかを判別することも可能である。すなわち、標準風量に近ければ、排風の流れがほとんど妨げられておらず、標準風量からかけ離れると、排風が流れにくくなっていることが分かる。例えば、標準風量に対する割合が１００％〜８０％の場合はＯＫ、７９％〜７０％は注意、６９％以下はＮＧといった表示をすることが可能である。このように表示することで、ユーザやサービスエンジニアが、排風レイアウトが適切かどうかを確認することができ、実際に乾燥設備Ｓが稼働し始めた後にトラブルが発生することを低減できる。
【００６９】
また、本実施形態の乾燥設備Ｓにおいて、前回の乾燥運転から一定期間（例えば、３ヶ月）が経過していた場合、シーズン最初の運転と識別して、基準として、その乾燥運転終了直前の戻し圧力センサ６２や吸引風速計８８の計測値を記憶しておく。それ以降、乾燥運転を行うたびに、終了直前の計測値を記憶していき、基準の計測値と比較する。そして、風量が所定値（例えば３０％）以上低下した場合、排風ダクト１４等に塵埃等のゴミが溜まってきたと判断して、確認と掃除を促すメッセージを操作パネル３２に表示することが望ましい。なお、基準の計測値との比較は、最新の計測値でもかまわないし、複数回（例えば、３回）分の平均を使用することも可能である。
【００７０】
また、本実施形態の穀物乾燥機１において、運転のモードとして、乾燥運転や通風運転等を例示したが、これに限定されない。例示した以外のモードを有する構成とすることも可能である。例えば、穀物の一例としての「そば」の乾燥においては、刈り取りに時間がかかるため、初回に張り込んでも次の張込みまでに時間がかかる。この間、品質の劣化を防止するために通風を行いたいがそばは表皮が破れやすいため、循環回数を多くしないことが望ましい。したがって、穀物の種類の設定が「そば」の場合に、張込み量が「０」（張込み量が、仕切る壁８の上端に達しない状態）で通風ボタン３３ｂを押すと、次の収穫までの蒸れを防止する目的で、穀物を循環させずに排風ファン１３ａのみを駆動して、そばに風を送るだけのモードを搭載することも可能である。このモードを搭載し、実行することで、網状の仕切る壁８の上端よりも張込み量が少ないため、穀物全体に風を当てることが可能であり、張り込まれた穀物の劣化を抑制することができる。
【００７１】
さらに、穀物種類が「そば」で、張込み量が「１」（張込み量は少ないが、仕切る壁８の上端よりは多い）の場合に、通風ボタン３３ｂが押されると、ロータリバルブ３８やラセン２２，３９の回転数を、張込み量が「２」以上の場合の乾燥時に比べて、低下するように、回転周期や回転数を制御することが望ましい。すなわち、張込み量が「０」の場合と同様に穀物を循環させなければ穀物全体に風を当てることができないので、張込み量が「１」の場合はロータリバルブ３８等を駆動して循環させるが、前述のように循環回数を多くしないように、ロータリバルブ３８等を低速、低頻度で駆動することが望ましい。このような運転モードを実行することで、穀物全体に風を当てることができると共に、表皮の破れを低減して、穀物の品質劣化を抑制できる。
【００７２】
なお、回転周期を制御する場合は、連続運転するのではなく、例えば、３０分に１回循環するように制御することが可能である。
また、穀物を低頻度で循環させる場合には、天井部１０の拡散羽根で破損しにくくするために、拡散羽根の回転を停止させることが望ましい。このほかにも、例えば、上部ラセン２３で拡散羽根に向けて送る途中に、貯留室２に向けて落下する開口を形成しておき、通常時は開口をシャッタで塞いで拡散羽根に送るようにしつつ、穀物の低頻度循環時にはシャッタを開放して、拡散羽根の手前で貯留室２に穀物が落下、流下するように構成することで、拡散羽根による穀物の破損を抑制できる。
【００７３】
また、操作パネル３２から張込み量「０」や「１」の入力がされない場合でも、張込センサ１２の検知結果で張込み量「０」や「１」相当である場合には、自動的に各運転モードを実行する構成とすることも可能である。
このほかにも、例えば、穀物の種類がビール麦、大麦の場合は、混入する芒が仕切る壁８の穴に詰まりやすい。したがって、穀物の種類が「ビール麦」、「大麦」の場合は、乾燥運転後に清掃運転を自動的に実行するように構成することが望ましい。さらに、清掃運転において、排気ファン１３ａを、一定の時間間隔（例えば、１０秒程度）ごとに、オン、オフを繰り返すことで、穴に引っ掛かった芒を落としやすくすることが好ましい。
【００７４】
また、本実施形態の穀物乾燥機１では、試運転時には、風量や排風ダクト１４等の詰まりを確認可能な構成を例示したが、これに限定されない。例えば、試運転時には、自動水分計１７の検出結果に基づいて籾が無いことを操作パネル３２で表示したり、燃焼バーナ１９の下方の掃除蓋９１を開放して、バーナ本体８２の炎を確認するように促すことも可能である。特に、掃除蓋９１が開放されると、掃除蓋９１が設置されている開口から空気が抜けられるようになる。したがって、乾燥室５に抜けていた風の一部が掃除蓋９１の部分からも抜けられるようになり、燃焼バーナ１９の炎の安定性が向上することが期待される。
【００７５】
さらに、本実施形態の穀物乾燥機１では、清掃運転時には、排風ファン１３ａの回転数を高くすることを例示したが、これに限定されない。例えば、上部ラセン樋２２に排塵機が設けられる構成において、清掃モードを実行する場合には、排風ファン１３ａのみを動作させる時間と、排塵機のみを動作させる期間を設けることで、排塵機内部のダクトも清掃可能である。
【００７６】
さらに、本実施形態の穀物乾燥機１では、戻し圧力センサ６２や吸引風速計８８では、圧力や風速を計測する構成を例示したが、例えば、風圧に応じて傾斜角が変わるレバーと、傾斜角が一定以上になるとレバーが接触する検知部とを有する風圧スイッチを使用することも可能である。吸引風速計８８に変えて風圧スイッチを使用する場合、検知部が検知可能な範囲以下の場合が、風量異常となり、張込み量が一定以上の場合は、風圧スイッチが検知するまで排風ファン１３ａの回転数を高くすることとなる。
【符号の説明】
【００７７】
１  乾燥機、
１３ａ  排風部材、
１４  排風ダクト、
１５  排風戻し通路、
５０  制御部、
６１  排風調節弁、
６２  検出部材、
７１  集塵装置、
Ｓ  乾燥設備。
【図１】
2019116979.tif 000003
【図２】
2019116979.tif 000004
【図３】
2019116979.tif 000005
【図４】
2019116979.tif 000006
【図５】
2019116979.tif 000007
【図６】
2019116979.tif 000008
【図７】
2019116979.tif 000009
【図８】
2019116979.tif 000010
【図９】
2019116979.tif 000011